(57)【要約】【課題】ズーム状態の調整に伴うＯＳＤ画像の表示サイズの変化を抑制することが可能なプロジェクター及びその制御方法を提供する。【解決手段】ズーム状態がテレ端の場合には、投写面Ｓに表示される画像の表示サイズは、ワイド端の場合の１／２になる。このため、ズーム状態がテレ端の場合には、制御部は、調整倍率を２に設定することにより、入力画像Ｐｉに対するメニュー画像Ｐｍのサイズを、ズーム状態がワイド端の場合の２倍とする。つまり、ＯＳＤ処理部は、２Ｍ×２Ｎのサイズのメニュー画像Ｐｍを生成して入力画像Ｐｉに重畳する。この結果、投写面Ｓに表示されるメニュー画像Ｐｍの表示サイズは、ワイド端の場合と同一の表示サイズ（ｍ×ｎ）となる。【選択図】図４
2011142597.tif 000002
【特許請求の範囲】
【請求項１】
メイン画像上にＯＳＤ画像を合成させた合成画像を生成するＯＳＤ処理部と、
前記合成画像を投写して表示する画像投写部と、
前記画像投写部のズーム状態を調整するためのズーム調整部と、
前記ズーム調整部によって調整された前記ズーム状態を検出するズーム状態検出部と、
を備え、
前記ＯＳＤ処理部は、前記ズーム状態検出部の検出結果に基づいて、前記メイン画像に対する前記ＯＳＤ画像のサイズを調整することを特徴とするプロジェクター。
【請求項２】
請求項１に記載のプロジェクターであって、
前記ＯＳＤ処理部は、前記ズーム状態がワイド側からテレ側に変化した場合には、前記メイン画像に対する前記ＯＳＤ画像のサイズを拡大し、前記ズーム状態がテレ側からワイド側に変化した場合には、前記メイン画像に対する前記ＯＳＤ画像のサイズを縮小することを特徴とするプロジェクター。
【請求項３】
請求項１又は２に記載のプロジェクターであって、
前記ＯＳＤ処理部は、投写された前記ＯＳＤ画像が、前記ズーム状態に拘らずに一定のサイズで表示されるように、前記メイン画像に対する前記ＯＳＤ画像のサイズを調整することを特徴とするプロジェクター。
【請求項４】
メイン画像上にＯＳＤ画像を合成させた合成画像を生成するＯＳＤ処理部と、前記合成画像を投写して表示する画像投写部と、前記画像投写部のズーム状態を調整するためのズーム調整部と、を備えたプロジェクターの制御方法であって、
前記ズーム調整部によって調整された前記ズーム状態を検出するズーム状態検出ステップと、
前記ズーム状態検出ステップでの検出結果に基づいて、前記メイン画像に対する前記ＯＳＤ画像のサイズを調整するサイズ調整ステップと、
を備えたことを特徴とするプロジェクターの制御方法。
【請求項５】
請求項４に記載のプロジェクターの制御方法であって、
前記サイズ調整ステップでは、前記ズーム状態がワイド側からテレ側に変化した場合には、前記メイン画像に対する前記ＯＳＤ画像のサイズを拡大し、前記ズーム状態がテレ側からワイド側に変化した場合には、前記メイン画像に対する前記ＯＳＤ画像のサイズを縮小することを特徴とするプロジェクターの制御方法。
【請求項６】
請求項４又は５に記載のプロジェクターの制御方法であって、
前記サイズ調整ステップでは、投写された前記ＯＳＤ画像が、前記ズーム状態に拘らずに一定のサイズで表示されるように、前記メイン画像に対する前記ＯＳＤ画像のサイズを調整することを特徴とするプロジェクターの制御方法。
【発明の詳細な説明】
【技術分野】
【０００１】
本発明は、画像を投写するプロジェクター及びその制御方法に関する。
【背景技術】
【０００２】
光源から射出された光を変調して画像を形成し、この画像をスクリーン等に投写して表示するプロジェクターの多くは、主たる画像（メイン画像）上に、メニュー画像やメッセージ画像等のＯＳＤ（オンスクリーンディスプレイ）画像を合成して投写することができるようになっている。特許文献１には、ＯＳＤ画像に含まれる文字のサイズを変更可能にする技術が提案されており、この技術を適用すれば、ＯＳＤ画像に含まれる文字を、ユーザーにとって見やすく違和感のない大きさで表示することができる。
【先行技術文献】
【特許文献】
【０００３】
【特許文献１】特開２００３−３３３４４９号公報
【発明の概要】
【発明が解決しようとする課題】
【０００４】
しかしながら、スクリーン等に表示される画像のサイズ（表示サイズ）を調整するためのズーム調整機能をプロジェクターが備えている場合には、このズーム調整機能によってメイン画像の表示サイズを調整すると、メイン画像とともにＯＳＤ画像の表示サイズも変化（拡大又は縮小）してしまうため、ＯＳＤ画像が見難くなってしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、メイン画像上にＯＳＤ画像を合成させた合成画像を生成するＯＳＤ処理部と、前記合成画像を投写して表示する画像投写部と、前記画像投写部のズーム状態を調整するためのズーム調整部と、前記ズーム調整部によって調整された前記ズーム状態を検出するズーム状態検出部と、を備え、前記ＯＳＤ処理部は、前記ズーム状態検出部の検出結果に基づいて、前記メイン画像に対する前記ＯＳＤ画像のサイズを調整することを特徴とする。
【０００７】
このプロジェクターによれば、ズーム状態検出部がズーム状態を検出し、この検出結果に基づいて、ＯＳＤ処理部がメイン画像に対するＯＳＤ画像のサイズを調整するため、ズーム状態の調整に伴うＯＳＤ画像の表示サイズの変化を抑制することが可能となる。
【０００８】
［適用例２］上記適用例に係るプロジェクターにおいて、前記ＯＳＤ処理部は、前記ズーム状態がワイド側からテレ側に変化した場合には、前記メイン画像に対する前記ＯＳＤ画像のサイズを拡大し、前記ズーム状態がテレ側からワイド側に変化した場合には、前記メイン画像に対する前記ＯＳＤ画像のサイズを縮小することが望ましい。
【０００９】
このプロジェクターによれば、ＯＳＤ処理部は、ズーム状態がワイド側からテレ側に変化した場合、即ちメイン画像の表示サイズが縮小する場合には、メイン画像に対するＯＳＤ画像のサイズを拡大し、ズーム状態がテレ側からワイド側に変化した場合、即ちメイン画像の表示サイズが拡大する場合には、メイン画像に対するＯＳＤ画像のサイズを縮小する。このため、ズーム状態の調整に伴うＯＳＤ画像の表示サイズの変化を抑制することが可能となる。
【００１０】
［適用例３］上記適用例に係るプロジェクターにおいて、前記ＯＳＤ処理部は、投写された前記ＯＳＤ画像が、前記ズーム状態に拘らずに一定のサイズで表示されるように、前記メイン画像に対する前記ＯＳＤ画像のサイズを調整することが望ましい。
【００１１】
このプロジェクターによれば、ズーム状態を調整した場合でも、ＯＳＤ画像は一定のサイズで表示されるため、ＯＳＤ画像の視認性の低下を抑制することが可能となる。
【００１２】
［適用例４］本適用例に係るプロジェクターの制御方法は、メイン画像上にＯＳＤ画像を合成させた合成画像を生成するＯＳＤ処理部と、前記合成画像を投写して表示する画像投写部と、前記画像投写部のズーム状態を調整するためのズーム調整部と、を備えたプロジェクターの制御方法であって、前記ズーム調整部によって調整された前記ズーム状態を検出するズーム状態検出ステップと、前記ズーム状態検出ステップでの検出結果に基づいて、前記メイン画像に対する前記ＯＳＤ画像のサイズを調整するサイズ調整ステップと、を備えたことを特徴とする。
【００１３】
このプロジェクターの制御方法によれば、ズーム状態検出ステップでズーム状態を検出し、サイズ調整ステップでは、この検出結果に基づいて、メイン画像に対するＯＳＤ画像のサイズを調整するため、ズーム状態の調整に伴うＯＳＤ画像の表示サイズの変化を抑制することが可能となる。
【００１４】
［適用例５］上記適用例に係るプロジェクターの制御方法において、前記サイズ調整ステップでは、前記ズーム状態がワイド側からテレ側に変化した場合には、前記メイン画像に対する前記ＯＳＤ画像のサイズを拡大し、前記ズーム状態がテレ側からワイド側に変化した場合には、前記メイン画像に対する前記ＯＳＤ画像のサイズを縮小することが望ましい。
【００１５】
このプロジェクターの制御方法によれば、サイズ調整ステップでは、ズーム状態がワイド側からテレ側に変化した場合、即ちメイン画像の表示サイズが縮小する場合には、メイン画像に対するＯＳＤ画像のサイズを拡大し、ズーム状態がテレ側からワイド側に変化した場合、即ちメイン画像の表示サイズが拡大する場合には、メイン画像に対するＯＳＤ画像のサイズを縮小する。このため、ズーム状態の調整に伴うＯＳＤ画像の表示サイズの変化を抑制することが可能となる。
【００１６】
［適用例６］上記適用例に係るプロジェクターの制御方法において、前記サイズ調整ステップでは、投写された前記ＯＳＤ画像が、前記ズーム状態に拘らずに一定のサイズで表示されるように、前記メイン画像に対する前記ＯＳＤ画像のサイズを調整することが望ましい。
【００１７】
このプロジェクターの制御方法によれば、ズーム状態を調整した場合でも、ＯＳＤ画像は一定のサイズで表示されるため、ＯＳＤ画像の視認性の低下を抑制することが可能となる。
【００１８】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００１９】
【図１】プロジェクターの概略構成を示すブロック図。
【図２】投写面に画像を投写している状態のプロジェクターを示す斜視図であり、（ａ）は、ズーム状態がテレ端の場合の図、（ｂ）は、ズーム状態がワイド端の場合の図。
【図３】液晶ライトバルブの画素領域を示す正面図であり、（ａ）は、ズーム状態がテレ端の場合の図、（ｂ）は、ズーム状態がワイド端の場合の図。
【図４】投写面に投写（表示）された画像を示す正面図であり、（ａ）は、ズーム状態がテレ端の場合の図、（ｂ）は、ズーム状態がワイド端の場合の図。
【図５】第１実施形態において、メニューキーが操作された場合のプロジェクターの動作を説明するフローチャート。
【図６】第２実施形態のプロジェクターの動作を説明するフローチャート。
【図７】第２実施形態において、メニューキーが操作された場合のプロジェクターの動作を説明するフローチャート。
【図８】第３実施形態のプロジェクターの動作を説明するフローチャート。
【発明を実施するための形態】
【００２０】
（第１実施形態）
以下、第１実施形態のプロジェクターについて、図面を参照して説明する。
本実施形態のプロジェクターは、光源から射出された光を変調して、外部から入力される画像情報に基づく画像（以降、「入力画像」と呼ぶ。）を形成し、この画像をスクリーンや壁面等の表面（以降、「投写面」と呼ぶ。）に投写する光学機器である。
【００２１】
図１は、本実施形態のプロジェクターの概略構成を示すブロック図であり、図２（ａ）、（ｂ）は、投写面に画像を投写している状態のプロジェクターを示す斜視図である。
図１に示すように、プロジェクター１は、画像投写部１０、制御部２０、記憶部２１、入力操作部２２、画像情報入力部２３、画像処理部２４、ＯＳＤ処理部２５、ライトバルブ駆動部２６、ズーム状態検出部２７等を備えている。
【００２２】
画像投写部１０は、光源１１、光変調装置としての３つの液晶ライトバルブ１２（１２Ｒ，１２Ｇ，１２Ｂ）、投写光学系としての投写レンズ１３等で構成されている。画像投写部１０は、表示部に相当するものであり、光源１１から射出された光を液晶ライトバルブ１２で変調して画像（画像光）を形成し、この画像を投写レンズ１３から拡大投写して、投写面Ｓに表示する。
【００２３】
光源１１は、超高圧水銀ランプやメタルハライドランプ等からなる放電型の光源ランプ１１ａと、光源ランプ１１ａが放射した光を略一定の方向に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の色光成分に分離された後、それぞれ液晶ライトバルブ１２Ｒ，１２Ｇ，１２Ｂに入射する。
【００２４】
液晶ライトバルブ１２は、一対の透明基板間に液晶が封入された液晶パネル等によって構成される。液晶ライトバルブ１２には、マトリクス状に配列された複数の画素１２ｐからなる矩形の画素領域１２ａが形成されており、液晶に対して画素１２ｐ毎に駆動電圧を印加可能になっている。ライトバルブ駆動部２６が、入力される画像情報に応じた駆動電圧を各画素１２ｐに印加すると、各画素１２ｐは、画像情報に応じた光透過率に設定される。このため、光源１１から射出された光は、この液晶ライトバルブ１２の画素領域１２ａを透過することによって変調され、画像情報に応じた画像が色光毎に形成される。
【００２５】
形成された各色の画像は、図示しない色合成光学系によって画素１２ｐ毎に合成されてカラー画像となった後、投写レンズ１３によって投写面Ｓに拡大投写される。投写レンズ１３は、筒状の鏡筒内に複数のレンズ群（図示せず）を備えて構成されている。投写レンズ１３は、ズームレンズであり、各レンズ群の光軸方向の相対位置を変化させることによってズーム状態を調整するズーム機構１３ａを備えている。ユーザーは、このズーム機構１３ａによって画像の拡大率、即ち投写面Ｓに表示される画像のサイズ（以降、「表示サイズ」とも呼ぶ。）を調整することができる。
【００２６】
ここで、図２（ａ）、（ｂ）に示すように、本実施形態では、投写レンズ１３のズーム状態を最も広角側（ワイド端）にした場合には、最も望遠側（テレ端）にした場合に比べて、表示サイズが２倍になるようになっている。つまり、ズーム状態をテレ端にして画像を投写した場合に投写面Ｓに表示される画像の表示サイズをｗ×ｈとすると、ズーム状態をワイド端にして同一の投写面Ｓに画像を投写した場合には、画像の表示サイズは、縦横ともに２倍（２ｗ×２ｈ）となる。
【００２７】
図１に戻って、制御部２０は、ＣＰＵ（Central Processing Unit）２０ａや、各種データ等の一時記憶に用いられるＲＡＭ（Random Access Memory）２０ｂ等を備え、記憶部２１に記憶されている制御プログラムに従って動作することによりプロジェクター１の動作を統括制御する。つまり、制御部２０は、記憶部２１とともにコンピューターとして機能する。
【００２８】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００２９】
入力操作部２２は、ユーザーからの入力操作を受け付けるものであり、ユーザーがプロジェクター１に対して各種指示を行うための複数の操作キーを備えている。入力操作部２２が備える操作キーとしては、電源のオン・オフを切り替えるための電源キーや、各種設定を行うためのメニュー画像を表示させるメニューキー、メニュー画像等で選択された項目を確定させる決定キー、上下左右に対応する４つの方向キー、動作の取り消し等を指示するための取消キー等がある。ユーザーが入力操作部２２の各種操作キーを操作すると、入力操作部２２は、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部２０に伝達する。
【００３０】
画像情報入力部２３には、図示しない外部の画像出力装置と接続を行うための接続端子（図示せず）が備えられており、画像出力装置から各種形式の画像情報（画像信号）が入力される。画像情報入力部２３は、入力された画像情報を画像処理部２４に出力する。
【００３１】
画像処理部２４は、画像情報入力部２３から入力される各種形式の画像情報を、液晶ライトバルブ１２Ｒ，１２Ｇ，１２Ｂの各画素１２ｐの階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素１２ｐに対応する複数の画素値によって構成されている。画素値とは、対応する画素１２ｐの光透過率を定めるものであり、この画素値によって、各画素１２ｐから射出する光の強弱（階調）が規定される。また、画像処理部２４は、制御部２０の指示に基づき、変換した画像情報に対して、明るさ、コントラスト、シャープネス、色合い等を調整するための画質調整処理等を行い、処理後の画像情報をＯＳＤ処理部２５に出力する。
【００３２】
ＯＳＤ処理部２５は、制御部２０の指示に基づいて、入力画像上にメニュー画像やメッセージ画像等のＯＳＤ（オンスクリーンディスプレイ）画像を重畳（合成）するための処理を行う。ＯＳＤ処理部２５は、図示しないＯＳＤメモリーを備えており、ＯＳＤ画像を形成するための図形やフォント等を表す画像データを記憶している。制御部２０が、ＯＳＤ画像の重畳を指示すると、ＯＳＤ処理部２５は、必要な画像データをＯＳＤメモリーから読み出して、指定されたＯＳＤ画像を形成するためのＯＳＤ画像情報を生成する。
【００３３】
また、ＯＳＤ処理部２５は、ＯＳＤ画像のサイズを調整するサイズ調整部２５ａを備えており、生成したＯＳＤ画像情報に対してサイズ調整処理を施すことができる。具体的には、サイズ調整部２５ａは、制御部２０の指示に基づく倍率（以降、「調整倍率」とも呼ぶ。）で、入力画像に対するＯＳＤ画像のサイズを拡大したり縮小したりすることができる。つまり、制御部２０が調整倍率を設定すると、ＯＳＤ処理部２５は、この調整倍率に応じたサイズでＯＳＤ画像（ＯＳＤ画像情報）を生成する。その後、ＯＳＤ処理部２５は、入力画像上の所定の位置にＯＳＤ画像が重畳されるように、画像処理部２４から入力される画像情報に、処理後のＯＳＤ画像情報を合成する。ＯＳＤ処理部２５でＯＳＤ画像情報が合成された画像情報は、ライトバルブ駆動部２６に出力される。なお、制御部２０からＯＳＤ画像を重畳する旨の指示がない場合には、ＯＳＤ処理部２５は、画像処理部２４から入力される画像情報を、そのままライトバルブ駆動部２６に出力する。
【００３４】
ライトバルブ駆動部２６は、ＯＳＤ処理部２５から入力される画像情報に従って液晶ライトバルブ１２を駆動し、画像情報に応じた画像を画素領域１２ａに形成させる。これにより、画像情報に基づく画像が投写レンズ１３から投写され、投写面Ｓに表示される。つまり、ＯＳＤ処理部２５がＯＳＤ画像を重畳している場合には、入力画像上にＯＳＤ画像を合成させた合成画像が投写面Ｓに投写され、ＯＳＤ処理部２５がＯＳＤ画像を重畳していない場合には、入力画像のみが投写面Ｓに投写される。
【００３５】
ズーム状態検出部２７は、制御部２０の指示に基づいて、投写レンズ１３のズーム状態を検出し、検出結果を表す検出信号を制御部２０に出力する。ズーム状態検出部２７としては、レンズ（レンズ群）を移動させるための回転カム機構（図示せず）の回転量を検出するロータリエンコーダーやポテンショメーター等の検出手段を用いることができる。また、ズーム状態の調整が、ズームリングを回転操作する手動式ではなく、ボタン操作等に応じてステッピングモーター等の駆動装置で駆動する電動式である場合には、例えば、ステッピングモーターのステップ数に基づいてズーム状態を検出する態様とすることも可能である。
【００３６】
次に、プロジェクター１の動作について説明する。
本実施形態のプロジェクター１は、メニュー画像等のＯＳＤ画像を表示する際に、投写レンズ１３のズーム状態を検出して、ズーム状態に応じた表示サイズでＯＳＤ画像を表示させる。具体的には、ユーザーによってズーム状態が調整されて、入力画像の表示サイズが変化した場合でも、プロジェクター１は、ＯＳＤ画像の表示サイズが変化しないように制御する。
【００３７】
図３及び図４は、プロジェクター１の動作を説明するための説明図であり、図３（ａ）、（ｂ）は、液晶ライトバルブ１２の画素領域１２ａを示す正面図、図４（ａ）、（ｂ）は、投写面Ｓに投写（表示）された画像を示す正面図である。両図において、（ａ）は、ズーム状態がテレ端の場合の図であり、（ｂ）は、ズーム状態がワイド端の場合の図である。
【００３８】
上述したように、入力操作部２２のメニューキーが操作されると、制御部２０は、ＯＳＤ処理部２５に指示をして、ＯＳＤ画像の一つであるメニュー画像Ｐｍを入力画像Ｐｉ上に重畳させる。図３及び図４に示すように、メニュー画像Ｐｍは、ユーザーが各種設定を行うためのＯＳＤ画像であり、矩形状の図形の中に文字列（項目名等）を含んだ構成になっている。
【００３９】
ここで、図３（ｂ）に示すように、ズーム状態がワイド端の場合には、制御部２０は、メニュー画像ＰｍをＭ×ＮのサイズでＯＳＤ処理部２５に生成させるとともに、メニュー画像Ｐｍのサイズを調整するための調整倍率を１に設定する。つまり、ＯＳＤ処理部２５は、Ｗ×Ｈのサイズ（画素数）の画素領域１２ａに形成された入力画像Ｐｉに対して、メニュー画像ＰｍをＭ×Ｎのサイズのままで重畳させる。そして、図４（ｂ）に示すように、これらの画像が投写レンズ１３から投写されると、投写面Ｓには、メニュー画像Ｐｍがｍ×ｎの表示サイズで表示される。
【００４０】
また、上述したように、ズーム状態がテレ端の場合には、投写面Ｓに表示される画像の表示サイズは、ワイド端の場合の１／２になる。このため、図３（ａ）に示すように、ズーム状態がテレ端の場合には、制御部２０は、調整倍率を２に設定することにより、入力画像Ｐｉに対するメニュー画像Ｐｍのサイズを、ズーム状態がワイド端の場合の２倍とする。つまり、ＯＳＤ処理部２５は、２Ｍ×２Ｎのサイズのメニュー画像Ｐｍを生成して入力画像Ｐｉに重畳する。この結果、図４（ａ）に示すように、投写面Ｓに表示されるメニュー画像Ｐｍの表示サイズは、ワイド端の場合と同一の表示サイズ（ｍ×ｎ）となる。
【００４１】
また、ズーム状態がワイド端とテレ端の間である場合には、制御部２０は、メニュー画像Ｐｍの表示サイズがｍ×ｎとなるように、調整倍率を１から２の間の値で適宜設定する。つまり、制御部２０は、ズーム状態がワイド側からテレ側に変化した場合には、調整倍率を大きくし、ズーム状態がテレ側からワイド側に変化した場合には、調整倍率を小さくする。そして、サイズ調整部２５ａは、制御部２０が設定した調整倍率に基づいて、入力画像Ｐｉに対するメニュー画像Ｐｍのサイズを調整する。言い替えれば、サイズ調整部２５ａは、ズーム状態がワイド側からテレ側に変化した場合には、入力画像Ｐｉに対するメニュー画像Ｐｍのサイズを拡大し、ズーム状態がテレ側からワイド側に変化した場合には、入力画像Ｐｉに対するメニュー画像Ｐｍのサイズを縮小する。
【００４２】
上記の動作を、フローチャートを用いて説明する。
図５は、メニューキーが操作された場合のプロジェクター１の動作を説明するフローチャートである。ユーザーが入力操作部２２のメニューキーを操作すると、プロジェクター１の制御部２０は、本フローに従って動作する。
【００４３】
図５に示すように、ステップＳ１０１では、制御部２０は、ズーム状態検出部２７に指示をして、投写レンズ１３のズーム状態を検出させる。
【００４４】
ステップＳ１０２では、制御部２０は、ズーム状態検出部２７の検出結果に基づいて、メニュー画像Ｐｍの表示サイズを一定にするための調整倍率を導出する。例えば、ズーム状態がワイド端の場合には、調整倍率は１となり、ズーム状態がテレ端の場合には、調整倍率は２となる。なお、ズーム状態がワイド端とテレ端の間の場合には、調整倍率は１と２の間の値となるが、その導出方法としては、様々な方法を利用することができる。例えば、ズーム状態から調整倍率を算出する計算式を事前に用意しておき、この計算式に基づいて調整倍率を算出するようにしてもよい。また、検出されたズーム状態に基づき、比例補間によって調整倍率を導出してもよいし、ズーム状態と調整倍率とを対応付けた対応テーブルを事前に用意しておき、検出されたズーム状態に対応する調整倍率をこの対応テーブルから導くようにすることもできる。
【００４５】
ステップＳ１０３では、制御部２０は、導出した調整倍率をＯＳＤ処理部２５に出力するとともに、ＯＳＤ処理部２５に指示をして、調整倍率に応じたサイズでメニュー画像Ｐｍを生成させる。ＯＳＤ処理部２５は、この指示に応じて、Ｍ×Ｎのサイズのメニュー画像Ｐｍを生成した後、制御部２０から入力された調整倍率に応じて、サイズ調整部２５ａでサイズ調整処理を施す。
【００４６】
ステップＳ１０４では、制御部２０は、ＯＳＤ処理部２５に指示をして、サイズ調整を施した後のメニュー画像Ｐｍを入力画像Ｐｉに重畳させて、フローを終了する。この結果、投写面Ｓには、合成画像、即ちメニュー画像Ｐｍが重畳された状態の入力画像Ｐｉが表示される。そして、このメニュー画像Ｐｍは、投写レンズ１３のズーム状態に拘らず、常に一定の表示サイズで表示される。
【００４７】
以上説明したように、本実施形態のプロジェクター１によれば、以下の効果を得ることができる。
【００４８】
（１）本実施形態のプロジェクター１によれば、入力画像Ｐｉに重畳させるメニュー画像ＰｍをＯＳＤ処理部２５が生成する際に、ＯＳＤ処理部２５のサイズ調整部２５ａは、
ズーム状態検出部２７で検出されたズーム状態に基づいて、入力画像Ｐｉに対するメニュー画像Ｐｍのサイズを調整している。このため、ズーム状態の調整に伴うメニュー画像Ｐｍの表示サイズの変化を抑制することが可能となる。
【００４９】
（２）本実施形態のプロジェクター１によれば、ＯＳＤ処理部２５のサイズ調整部２５ａは、ズーム状態がワイド側からテレ側に変化した場合、即ち入力画像Ｐｉの表示サイズが縮小する場合には、入力画像Ｐｉに対するメニュー画像Ｐｍのサイズを拡大し、ズーム状態がテレ側からワイド側に変化した場合、即ち入力画像Ｐｉの表示サイズが拡大する場合には、入力画像Ｐｉに対するメニュー画像Ｐｍのサイズを縮小する。このため、ズーム状態の調整に伴うメニュー画像Ｐｍの表示サイズの変化を抑制することが可能となる。
【００５０】
（３）本実施形態のプロジェクター１によれば、制御部２０は、ズーム状態を調整した後もメニュー画像Ｐｍが一定の表示サイズで表示されるような調整倍率を導出し、サイズ調整部２５ａは、この調整倍率に基づいて、入力画像Ｐｉに対するメニュー画像Ｐｍのサイズを調整している。つまり、ズーム状態を調整した場合でも、メニュー画像Ｐｍは常に一定の表示サイズで表示されるため、メニュー画像Ｐｍの視認性の低下を抑制することが可能となる。
【００５１】
（第２実施形態）
以下、第２実施形態のプロジェクターについて、図面を参照して説明する。
本実施形態のプロジェクター１では、ズーム状態検出部２７が投写レンズ１３のズーム状態を常時監視しており、ズーム状態に変化があった場合には、ＯＳＤ画像の表示サイズを一定にするための調整倍率を導出して、ＲＡＭ２０ｂに保存するようになっている。そして、ＯＳＤ画像を重畳する際には、ＲＡＭ２０ｂから調整倍率を読み出して、この調整倍率に応じたサイズでＯＳＤ画像を生成する。
上記以外の構成及び動作については、第１実施形態と同一である。
【００５２】
図６は、本実施形態のプロジェクター１の動作を説明するフローチャートである。プロジェクター１は、所定の時間間隔で、本フローに従った動作を繰り返す。
図６に示すように、ステップＳ１１１では、制御部２０は、ズーム状態検出部２７に指示をして、投写レンズ１３のズーム状態を検出させる。
【００５３】
ステップＳ１１２では、制御部２０は、ズーム状態検出部２７の検出結果に基づいて、ズーム状態に変化があったか否かを判断する。なお、後述するように、ズーム状態検出部２７の検出結果（ズーム状態）は、ＲＡＭ２０ｂに保存されるようになっており、制御部２０は、今回の検出結果と、保存されている検出結果とを比較することにより、変化の有無を判断することができる。そして、ズーム状態に変化があった場合には、ステップＳ１１３に移行し、変化がない場合には、フローを終了する。
【００５４】
ズーム状態が変化してステップＳ１１３に移行した場合には、制御部２０は、新たなズーム状態に基づいて、メニュー画像Ｐｍの調整倍率を導出する。
【００５５】
ステップＳ１１４では、制御部２０は、ステップＳ１１１で検出されたズーム状態と、ステップＳ１１３での導出された調整倍率とをＲＡＭ２０ｂに保存して、フローを終了する。
【００５６】
このように、本実施形態の制御部２０のＲＡＭ２０ｂには、メニュー画像Ｐｍの調整倍率が保存されており、この調整倍率は、ズーム状態が変化する度に更新される。
【００５７】
図７は、メニューキーが操作された場合のプロジェクター１の動作を説明するフローチャートである。ユーザーが入力操作部２２のメニューキーを操作すると、プロジェクター１の制御部２０は、本フローに従って動作する。
【００５８】
図７に示すように、ステップＳ１２１では、制御部２０は、ＲＡＭ２０ｂに保存されている調整倍率を読み出す。そして、ステップＳ１２２では、制御部２０は、読み出した調整倍率をＯＳＤ処理部２５に出力し、ＯＳＤ処理部２５にメニュー画像Ｐｍの生成を指示する。ＯＳＤ処理部２５は、この指示に応じて、Ｍ×Ｎのサイズのメニュー画像Ｐｍを生成した後、制御部２０から入力された調整倍率に応じて、サイズ調整部２５ａでサイズ調整処理を施す。
【００５９】
ステップＳ１２３では、制御部２０は、ＯＳＤ処理部２５に指示をして、サイズ調整を施した後のメニュー画像Ｐｍを入力画像Ｐｉに重畳させて、フローを終了する。この結果、投写面Ｓには、合成画像、即ちメニュー画像Ｐｍが重畳された状態の入力画像Ｐｉが表示される。そして、このメニュー画像Ｐｍは、投写レンズ１３のズーム状態に拘らず、常に一定の表示サイズで表示される。
【００６０】
以上説明したように、本実施形態のプロジェクター１によれば、第１実施形態と同様の効果を得ることができる。
また、本実施形態のプロジェクター１によれば、ズーム状態検出部２７が投写レンズ１３のズーム状態を常時監視しており、制御部２０は、ズーム状態が変化した際に調整倍率を導出するようにしているため、メニューキーが操作された際には、調整倍率を導出する必要がない。このため、メニューキーが操作された際の制御部２０の負荷を軽減できるとともに、メニューキーが操作されてからメニュー画像Ｐｍが表示されるまでの時間を短縮することが可能となる。
【００６１】
なお、本実施形態では、ズーム状態が変化した際に調整倍率を導出するようにしているが、ズーム状態が変化した後、ズーム状態が変化しない状態が所定時間継続した場合に、調整倍率を導出するようにしてもよい。この場合には、ズーム状態を調整している最中は、調整倍率を導出する処理が行われないため、制御部２０に掛かる負荷を軽減することが可能となる。
【００６２】
（第３実施形態）
以下、第３実施形態のプロジェクターについて、図面を参照して説明する。
本実施形態のプロジェクター１は、第２実施形態と同様、投写レンズ１３のズーム状態を常時監視しており、ズーム状態に変化があった場合には、メニュー画像Ｐｍの表示サイズを一定にするための調整倍率を導出する。さらに、本実施形態のプロジェクター１は、ズーム状態が変化した際に、メニュー画像Ｐｍを重畳していた場合には、メニュー画像Ｐｍの生成をすぐにやり直し、メニュー画像Ｐｍを更新するようになっている。上記以外の構成及び動作については、第１実施形態と同一である。
【００６３】
図８は、本実施形態のプロジェクター１の動作を説明するフローチャートである。プロジェクター１は、所定の時間間隔で、本フローに従った動作を繰り返す。
図８に示すように、ステップＳ１３１では、制御部２０は、ズーム状態検出部２７に指示をして、投写レンズ１３のズーム状態を検出させる。
【００６４】
ステップＳ１３２では、制御部２０は、第２実施形態と同様、ズーム状態検出部２７の検出結果に基づいて、ズーム状態に変化があったか否かを判断する。そして、ズーム状態に変化があった場合には、ステップＳ１３３に移行し、変化がない場合には、フローを終了する。
【００６５】
ズーム状態が変化してステップＳ１３３に移行した場合には、制御部２０は、新たなズーム状態に基づいて、調整倍率を導出する。
【００６６】
ステップＳ１３４では、制御部２０は、ステップＳ１３１で検出されたズーム状態と、ステップＳ１３３での導出された調整倍率とをＲＡＭ２０ｂに保存する。
【００６７】
ステップＳ１３５では、制御部２０は、メニュー画像Ｐｍを重畳しているか否かを判断する。そして、メニュー画像Ｐｍを重畳している場合にはステップＳ１３６に移行し、メニュー画像Ｐｍを重畳していない場合にはフローを終了する。
【００６８】
ステップＳ１３６に移行した場合には、制御部２０は、ステップＳ１３３で導出した調整倍率をＯＳＤ処理部２５に出力し、ＯＳＤ処理部２５にメニュー画像Ｐｍの再生成を指示する。ＯＳＤ処理部２５は、この指示に応じてメニュー画像Ｐｍを再び生成するとともに、制御部２０から入力された調整倍率に応じて、サイズ調整部２５ａでサイズ調整処理を施す。
【００６９】
ステップＳ１３７では、制御部２０は、ＯＳＤ処理部２５に指示をして、それまで重畳していたメニュー画像Ｐｍの代わりに、新たなサイズのメニュー画像Ｐｍを入力画像Ｐｉに重畳させる。つまり、メニュー画像Ｐｍのサイズを更新させて、フローを終了する。この結果、ズーム状態の変化に応じて、入力画像Ｐｉの表示サイズが変化する一方で、メニュー画像Ｐｍの表示サイズは、常に一定となる。つまり、メニュー画像Ｐｍが重畳されている状態でズーム状態が変化した場合でも、メニュー画像Ｐｍの表示サイズは一定に保たれる。
【００７０】
以上説明したように、本実施形態のプロジェクター１によれば、第１及び第２実施形態と同様の効果を得ることができる。
また、本実施形態のプロジェクター１によれば、ズーム状態の調整がなされた際に、メニュー画像Ｐｍが重畳されている状態であれば、すぐに新たなサイズのメニュー画像Ｐｍを再作成する。このため、メニュー画像Ｐｍを重畳している状態であっても、メニュー画像Ｐｍの表示サイズを一定に保ったままズーム状態を調整することが可能となる。
【００７１】
なお、上記実施形態（第１〜第３実施形態）において、入力画像Ｐｉがメイン画像に相当し、メニュー画像ＰｍがＯＳＤ画像に相当する。また、ズーム機構１３ａがズーム調整部に相当する。
【００７２】
（変形例）
また、上記実施形態は、以下のように変更してもよい。
【００７３】
上記実施形態では、ＯＳＤ画像の例として、メニュー画像Ｐｍについて説明したが、サイズの調整対象とすべきＯＳＤ画像はメニュー画像Ｐｍに限られず、様々なＯＳＤ画像に適用可能である。例えば、エラー（異常状態）の発生を報知するためのＯＳＤ画像（メッセージ画像）に適用することもできるし、入力ソースを選択可能な構成の場合には、選択された入力ソースの名称を報知するためのＯＳＤ画像にも適用可能である。
【００７４】
上記実施形態では、ＯＳＤ画像（メニュー画像Ｐｍ）は、矩形状の図形の中に文字等を含んだ構成（図３、図４参照）になっているが、ＯＳＤ画像の構成はこれに限定されない。例えば、ＯＳＤ画像を文字や記号のみで構成してもよい。この場合には、ズーム状態に応じて文字等のフォントサイズを調整すればよい。
【００７５】
上記実施形態では、ＯＳＤ処理部２５は、所定のサイズでＯＳＤ画像を生成した後に、サイズ調整部２５ａでそのサイズを調整するようにしているが、この態様に限定されない。例えば、制御部２０によって指定されたサイズでＯＳＤ画像を一から生成するようにしてもよい。また、複数のサイズのＯＳＤ画像を事前に用意しておくか、或いは複数のサイズでＯＳＤ画像を生成できるようにするとともに、その中から、ズーム状態に応じて最適なサイズ、即ち表示サイズの変化が最も小さくなるようなサイズを選択する態様にしてもよい。なお、ＯＳＤ画像のサイズが段階的に変化する場合には、ＯＳＤ画像の表示サイズを厳密に一定に保つことはできないが、ＯＳＤ画像の表示サイズが大きくなりすぎたり、小さくなりすぎたりすることを抑制することは可能である。
【００７６】
上記実施形態では、ワイド端におけるＯＳＤ画像（メニュー画像Ｐｍ）のサイズを基準にして、ズーム状態に応じて１倍から２倍までの範囲でサイズを変化（拡大）させているが、この態様に限定されない。例えば、テレ端におけるサイズを基準にして、ズーム状態に応じて１倍から１／２倍までの範囲でサイズを変化（縮小）させてもよいし、ワイド端とテレ端の中間状態でのサイズを基準にして、ワイド側では縮小し、テレ側では拡大する態様にしてもよい。
【００７７】
上記実施形態では、ワイド端での表示サイズがテレ端での表示サイズの２倍の場合について説明したが、表示サイズの倍率は２倍に限定されない。
【００７８】
上記実施形態では、ズーム状態がワイド端の場合には、メニュー画像ＰｍはＭ×Ｎのサイズで形成され、ズーム状態がテレ端の場合には、メニュー画像Ｐｍは２Ｍ×２Ｎのサイズで形成される。つまり、上記実施形態では、投写レンズ１３のズーム状態に応じて、形成するメニュー画像Ｐｍのサイズが定まっているが、メニュー画像Ｐｍのサイズをユーザーが指定できるようにしてもよい。この場合には、ユーザーがメニュー画像Ｐｍのサイズを指定した後で、表示サイズを一定に保つ制御を行うようにすればよい。
【００７９】
上記実施形態において、ズーム状態に拘らずにＯＳＤ画像の表示サイズを一定に保つモード（サイズ固定モード）と、ズーム状態の変化に連動してＯＳＤ画像の表示サイズも変化するモード（通常モード）とを、ユーザーの好み等に応じて選択できるようにしてもよい。
【００８０】
上記実施形態では、制御部２０が調整倍率を導出し、ＯＳＤ処理部２５（サイズ調整部２５ａ）がこの調整倍率に基づいてメニュー画像Ｐｍのサイズを調整するようにしているが、この態様に限定されない。例えば、制御部２０がメニュー画像Ｐｍのサイズを直接導出してもよいし、現在のサイズとの差分を導出するようにしてもよい。
【００８１】
上記実施形態では、外部の画像出力装置等から入力される画像情報に基づく画像（入力画像Ｐｉ）上にＯＳＤ画像を重畳させる態様を示したが、プロジェクター１が、ＤＶＤ（Digital Versatile Disc）やＢｌｕ−ｒａｙ  Ｄｉｓｃ（登録商標）等の記録媒体に記録されている画像情報を再生可能な画像再生部を備えている場合には、画像再生部によって再生された画像情報に基づく画像（再生画像）上にＯＳＤ画像を重畳させるようにしてもよい。
【００８２】
上記実施形態では、光変調装置として３つの液晶ライトバルブ１２を用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００８３】
上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８４】
上記実施形態では、光源１１は、放電型の光源ランプ１１ａによって構成されているが、ＬＥＤ（Light Emitting Diode：発光ダイオード）光源等の固体光源や、その他の光源に適用することもできる。
【符号の説明】
【００８５】
１…プロジェクター、１０…画像投写部、１１…光源、１１ａ…光源ランプ、１１ｂ…リフレクター、１２…液晶ライトバルブ、１２Ｒ，１２Ｇ，１２Ｂ…液晶ライトバルブ、１２ａ…画素領域、１２ｐ…画素、１３…投写レンズ、１３ａ…ズーム機構、２０…制御部、２０ａ…ＣＰＵ、２０ｂ…ＲＡＭ、２１…記憶部、２２…入力操作部、２３…画像情報入力部、２４…画像処理部、２５…ＯＳＤ処理部、２５ａ…サイズ調整部、２６…ライトバルブ駆動部、２７…ズーム状態検出部、Ｐｉ…入力画像、Ｐｍ…メニュー画像、Ｓ…投写面。
【図１】
2011142597.tif 000003
【図２】
2011142597.tif 000004
【図３】
2011142597.tif 000005
【図４】
2011142597.tif 000006
【図５】
2011142597.tif 000007
【図６】
2011142597.tif 000008
【図７】
2011142597.tif 000009
【図８】
2011142597.tif 000010